(57)【要約】【課題】航空機等の旅客移動体内の複数の座席に、ネットワーク伝送路を通じて映画やスポーツなどを配信するＡＶコンテンツ提供システムにおいて、乗客が持ち込んだ携帯端末の利用を可能にする。【解決手段】映像サービス用サーバ２１の複数のＡＶコンテンツの映像データは伝送路２３に送出され、変調器２６、送信器２４を経由して地上波デジタルテレビジョン放送波として携帯端末２５へ送信される。乗客は携帯端末２５でこの放送波を受信し、見たいチャンネルを選択して映像を見る。乗客がコントローラ５ｍを操作して、映像に付属した音声のチャンネルを選択すると、映像サービス用サーバ２１から伝送路２に送出された音声データは座席端末４ｍを経由してヘッドホン７ｍで音声として出力され、乗客はこの音声を聴取する。【選択図】図１
2009260859.tif 000002
【特許請求の範囲】
【請求項１】
ヘッドホンおよびコントローラが接続された複数の座席が配列された旅客移動体内において、地上波デジタルテレビジョン放送または衛星デジタルテレビジョン放送の受信機能の付いた携帯端末にＡＶコンテンツを提供するＡＶコンテンツ提供システムであって、
映像データおよび前記映像データに付属する音声データよりなる１つ以上のＡＶコンテンツを蓄積した映像サービス用サーバと、
前記映像サービス用サーバから送出された前記１つ以上のＡＶコンテンツの前記映像データを前記地上波デジタルテレビジョン放送または前記衛星デジタルテレビジョン放送のそれぞれ異なるチャンネルの周波数で変調する変調器と、
変調された前記映像データを前記携帯端末に向けて放送する送信器と、
前記座席ごとに配設され、伝送路により前記映像サービス用サーバに接続された座席端末と、
を備え、
前記携帯端末は放送される前記チャンネルのいずれか１つを選局して前記映像データを受信して前記携帯端末の映像表示部に表示し、
前記座席端末は前記コントローラからの選局情報に基づいて、前記映像サービス用サーバから送出される前記映像データに付属する前記音声データを前記伝送路を介して受信し、前記ヘッドホンに出力することを特徴とするＡＶコンテンツ提供システム。
【請求項２】
前記１つ以上のＡＶコンテンツを識別するための識別情報を、放送される前記映像データに重畳して送信することを特徴とする請求項１に記載のＡＶコンテンツ提供システム。
【請求項３】
前記携帯端末の映像表示部に表示される映像と、前記ヘッドホンから出力される音声とが同期するように、前記映像サービス用サーバから送出される前記音声データの前記伝送路への送出タイミングを調整するための通信管理部をさらに備えたことを特徴とする請求項１または請求項２に記載のＡＶコンテンツ提供システム。
【請求項４】
前記旅客移動体は航空機であり、前記伝送路には乗務員端末がさらに接続されており、前記乗務員端末から発せられた機内アナウンスは前記伝送路に送出され、前記座席端末は前記機内アナウンスを受信し、前記ＡＶコンテンツの前記音声データと切換えて前記機内アナウンスを前記ヘッドホンに出力することを特徴とする請求項１〜３のいずれか１項に記載のＡＶコンテンツ提供システム。
【発明の詳細な説明】
【技術分野】
【０００１】
本発明は、航空機などの旅客移動体の客室内において各座席に搭載、配備されて、映画、音楽などのＡＶ（オーディオビジュアル）コンテンツを提供するＡＶコンテンツ提供システムに関している。
【背景技術】
【０００２】
航空機などの旅客移動体内においては、客室内に配備されているＩＦＥ（Ｉｎ−Ｆｌｉｇｈｔ  Ｅｎｔｅｒｔａｉｎｍｅｎｔ）と呼ばれる機内エンターテインメントシステムにより、乗客にいろいろなサービスが提供されている。例えば、乗客は映画や音楽などのコンテンツを前座席の背部に配置された液晶モニタで映像を鑑賞し、音声を自座席の肘掛部に接続されたヘッドホンを使用して視聴する。さらに、各座席の肘掛部に設けられているハンドセットと呼ばれる操作用リモコンなどを用いてＡＶコンテンツを選択したり、ゲームをしたり、インターネットへの接続サービスを受けたりすることが可能なシステムも提供されている。
【０００３】
以下、従来の航空機内におけるＡＶコンテンツ提供システムについて図４と図５を用いて説明する。
【０００４】
図４は従来のＡＶコンテンツ提供システム２００の全体構成を示す図である。
【０００５】
ＡＶコンテンツ提供システム２００には、前後に配列された複数の座席１ｍ、１ｎに沿ってネットワーク伝送路（以下、「伝送路」という）２が配設されていて、この伝送路２は、映画等の映像と音声からなるＡＶコンテンツを提供するＶＯＤ（Ｖｉｄｅｏ  Ｏｎ  Ｄｅｍａｎｄ）サーバ３に接続されている。
【０００６】
伝送路２はイーサネット（登録商標）ケーブルで構成されており、この伝送路２には座席ごとに座席端末４ｍ、４ｎが接続されている。また、それぞれの座席の背部には液晶等のディスプレイ６ｍ、６ｎが配設され、座席の肘掛部にはコントローラ５ｍ、５ｎとヘッドホン７ｍ、７ｎが接続されている。これらの機器は座席端末４ｍ、４ｎを介して前述のＶＯＤサーバ３と通信可能に接続されている。
【０００７】
また、乗務員室８において乗務員端末８ａが、アナログ音声信号をデジタル音声パケットに変換してイーサネット（登録商標）に接続するためのＩＰ（Ｉｎｔｅｒｎｅｔ  Ｐｒｏｔｏｃｏｌ）アダプタ８ｂを介して伝送路２に接続されている。客室乗務員は乗務員端末８ａのマイクロホンを用いて乗客に対して機内アナウンス等を行う。
【０００８】
このような構成において、例えば、座席１ｍの乗客がコントローラ５ｍを操作して見たい映画を選ぶと、その映画の映像データおよび音声データは、ＶＯＤサーバ３から乗客の前部の座席１ｎの座席端末４ｎにダウンロードされ蓄積される。
【０００９】
乗客が選んだ映画の映像は、前部の座席１ｎのディスプレイ６ｎに表示されるが、音声は、座席端末４ｎから後方の座席端末４ｍに伝送路２を介してデジタルデータ（音声パケット）で伝送され、座席端末４ｍにおいて復調され元のアナログ音声信号に戻される。乗客はこのアナログ音声をヘッドホン７ｍで聴くことができる。
【００１０】
上述した客室乗務員の機内アナウンスも座席１ｍの座席端末４ｍを介してヘッドホン７ｍで聞くことができる構成である。機内アナウンスは、天井に設けたスピーカからも聞くことができるようになっているが、ヘッドホン７ｍを映画等で利用している乗客は、スピーカからのアナウンスを聞き取れない。このため、機内アナウンスは、伝送路２を介して座席端末４ｍに伝送され、座席端末４ｍ内において、映画等の音声を自動的に切換えて乗客が機内アナウンスを聞ける構成になっている。こうすることにより、航空機内において緊急事態等が発生した場合にも、この緊急情報は確実に乗客に伝達でき、迅速な対応を可能にしている。
【００１１】
図５は、特許文献２に提案されている無線ＬＡＮシステムを用いたＡＶコンテンツ提供システム３００の全体構成を示す図である。
【００１２】
コンテンツサーバ１１に蓄積されている映画などの複数コンテンツの映像データと音声データは、通信管理部１２を介して伝送路１３に送出され、複数の中継器１４により電波として発射される。座席１ｍ、１ｎの乗客は、乗客用データ送受信機１５で中継器１４から発射された電波を受信し映像を見るとともに、乗客用音声データ送受信機１６で音声を聴取する。
【００１３】
なお、このシステムでは、乗客は他の乗客との会話に加えて、客室乗務員の乗務員用音声データ送受信機１７からの機内アナウンスも聴取できる。
【特許文献１】特開平７−１４３０８３号公報
【特許文献２】特開２００６−２４６２９７号公報
【発明の開示】
【発明が解決しようとする課題】
【００１４】
近年、地上波デジタルテレビジョン放送が楽しめるノートパソコンや携帯電話などの携帯端末が普及しつつある。この携帯端末は、旅行や移動で航空機や列車に搭乗する場合も携行するが、航空機内では、テレビ電波が届かないため使用できない。この携帯端末を前述のＡＶコンテンツ提供システムに利用できれば、乗客も便利であり、ＡＶコンテンツを提供する側もディスプレイ等が不要な簡素なシステムが構築できるので好都合である。
【００１５】
これを実現する方法としては、機内において前述のテレビジョン放送と同じ形態の放送方式で映画などのコンテンツサービスを行えばよいが、これを実施した場合には、次のような課題がある。
【００１６】
すなわち、乗客が自分の持ち込んだ携帯端末で映画を楽しむ場合、携帯端末に付属のヘッドホンで音声を聞くため、機内アナウンスがある場合は、これを聞き漏らす可能性が大きい。また、携帯端末を座席の前のテーブルに置いた場合に、ヘッドホンのケーブルが目の前に横たわる状態になり、目障りである上に他の客の移動の妨げとなる。
【００１７】
本発明は、上述したような課題を解決するためになされたものであり、航空機などの旅客移動体において、乗客が持ち込んだ携帯端末からでも映画などのコンテンツサービスを受けることができるとともに、機内アナウンスも支障なく聴取できるＡＶコンテンツ提供システムを提供することを目的としている。
【課題を解決するための手段】
【００１８】
上記目的を達成するために、本発明のＡＶコンテンツ提供システムは、ヘッドホンおよびコントローラが接続された複数の座席が配列された旅客移動体内において、地上波デジタルテレビジョン放送または衛星デジタルテレビジョン放送の受信機能の付いた携帯端末にＡＶコンテンツを提供するＡＶコンテンツ提供システムであって、映像データおよび映像データに付属する音声データよりなる１つ以上のＡＶコンテンツを蓄積した映像サービス用サーバと、映像サービス用サーバから送出された１つ以上のＡＶコンテンツの映像データを地上波デジタルテレビジョン放送または衛星デジタルテレビジョン放送のそれぞれ異なるチャンネルの周波数で変調する変調器と、変調された映像データを携帯端末に向けて放送する送信器と、座席ごとに配設され、伝送路により映像サービス用サーバに接続された座席端末と、を備え、携帯端末は放送されるチャンネルのいずれか１つを選局して映像データを受信して携帯端末の映像表示部に表示し、座席端末はコントローラからの選局情報に基づいて、映像サービス用サーバから送出される映像データに付属する音声データを伝送路を介して受信し、ヘッドホンに出力することを特徴とする。
【００１９】
このような構成により、航空機などの旅客移動体において、映画などのコンテンツサービスが乗客の持ち込んだ携帯端末でも可能となるので、座席の背部に配置するディスプレイが不要となり低コストのＡＶコンテンツ提供システムを構築できる。
【００２０】
また本発明のＡＶコンテンツ提供システムは、１つ以上のＡＶコンテンツを識別するための識別情報を放送される映像データに重畳して送信してもよい。
【００２１】
このような構成により、放送される映像にチャンネル番号等が表示されるので、乗客はコントローラを使って容易に音声の選局が可能となる。
【００２２】
また本発明のＡＶコンテンツ提供システムは、携帯端末の映像表示部に表示される映像と、ヘッドホンから出力される音声とが同期するように、映像サービス用サーバから送出される音声データの伝送路への送出タイミングを調整するための通信管理部をさらに備えることが好ましい。
【００２３】
このような構成により、乗客は放送された映像に対してタイミングのズレのない音声を聴くことができる。
【００２４】
また本発明のＡＶコンテンツ提供システムは、旅客移動体は航空機であり、伝送路には乗務員端末がさらに接続されており、乗務員端末から発せられた機内アナウンスは伝送路に送出され、座席端末は機内アナウンスを受信し、ＡＶコンテンツの音声データと切換えて機内アナウンスをヘッドホンに出力するのが好ましい。
【００２５】
このような構成により、乗客が携帯端末とヘッドホンでＡＶコンテンツを視聴中に、緊急の機内アナウンスが発生した場合も、ヘッドホンの出力が自動的に機内アナウンスに切換えられるので乗客は機内アナウンスを聞き逃すことがない。
【発明の効果】
【００２６】
本発明によれば、乗客はイヤホンケーブルを気にすることなく自己の携帯端末で映画などのコンテンツサービスを受けることができ、サービスを提供する側にあっては、必要な機内アナウンスをもれなく伝達できる上に、ディスプレイが不要な、従って構成の簡素なＡＶコンテンツ提供システムを提供できる。
【発明を実施するための最良の形態】
【００２７】
以下、本発明の実施の形態について、図面を参照しながら詳しく説明する。
【００２８】
（実施の形態）
本実施の形態を、図１〜図３を用いて説明する。
【００２９】
図１は本実施の形態におけるＡＶコンテンツ提供システム１００の全体構成を示す図である。ＡＶコンテンツ提供システム１００は、図４の従来のＡＶコンテンツ提供システム２００と同様に、前後に配列された複数の座席１ｍ、１ｎに沿って有線の伝送路２が配設されていて、伝送路２には座席ごとに座席端末４ｍ、４ｎが接続されている。この座席端末４ｍ、４ｎには、座席の肘掛部において接続されるコントローラ５ｍ、５ｎとヘッドホン７ｍ、７ｎが接続されている。また伝送路２には、通信管理部２２が接続されており、客室乗務員室８において、乗務員端末８ａが、ＩＰアダプタ８ｂを介して接続されている。なお、座席端末４ｍ、４ｎとＩＰアダプタ８ｂは、識別のための固有のアドレス（ＭＡＣアドレス等）を有している。
【００３０】
以上の外観上の構成は、図４の従来のＡＶコンテンツ提供システム２００と同様であり、各構成要素には同一符号を付している。
【００３１】
以上の構成に加えて、本実施の形態においては映像サービス用サーバ２１、音声サービス用サーバ２７、映像音声分離器２８および変調器２６が備わっており、音声サービス用サーバ２７からの音声は通信管理部２２を介して伝送路２に送出される。また映像サービス用サーバ２１は映像音声分離機２８に接続されており、映像音声分離機２８で分離された映像サービス用の音声も通信管理部２２を介して伝送路２へ送出される。映像音声分離器２８には、変調器２６を経由して映像を伝送するための伝送路２３と、機内の天井部に設けた複数の送信器２４が接続されている。さらに、前の座席１ｎの背面に設けられたテーブルにノートパソコンなどの携帯端末２５が置かれている。
【００３２】
映像サービス用サーバ２１には映画やスポーツなどの複数のＡＶコンテンツの映像およびその映像に付属した音声が圧縮データの形態で収納されている。圧縮音声データは、映像音声分離器２８において圧縮映像データから分離され、通信管理部２２を介して従来のシステムと同様に伝送路２に音声パケットとして送出され、座席端末４ｍを経由してヘッドホン７ｍに出力され乗客によって聴取される。一方、圧縮映像データは、映像音声分離器２８を介して変調器２６で地上波デジタルテレビジョン放送と同じＯＦＤＭ方式で変調され、この変調信号が同軸ケーブルまたは光ケーブルからなる伝送路２３に送出される。伝送路２３から変調信号を受け取った送信器２４は、地上波デジタルテレビジョン放送と同じ周波数帯の微弱電波によって携帯端末２５に向けて放送を実施する。携帯端末２５は地上波デジタルテレビジョン放送受信機能が搭載されており、上記放送を受信して乗客はＡＶコンテンツを視聴することができる。
【００３３】
また、本実施の形態のＡＶコンテンツ提供システム１００では、音声と映像とでその伝送経路、伝送方式が異なるために伝送時間に差が生じ、乗客の携帯端末２５に表示される映像とヘッドホン７ｍから出力される音声にタイミングのズレが生じる。そこで、このタイミングのズレを補正するために通信管理部２２は、映像サービス用サーバ２１から受信した音声データの伝送路２への送出タイミングを調整し、映像と音声の同期をとるようにしている。
【００３４】
ところで、映像サービス用サーバ２１には複数の異なるＡＶコンテンツが蓄積されており、航空機のフライトスケジュールに合わせたプログラム（番組表）に従って映像サービス用サーバ２１から読み出されて放送される。すなわち、地上でのデジタルテレビジョン放送と同様に同時刻に複数の異なるＡＶコンテンツの映像が送信器２４においてそれぞれ異なる周波数（チャンネル）の電波で放送されるとともに、それぞれの映像に付属する音声も同時に通信管理部２２を介して伝送路２に送出される。乗客は自己の携帯端末２５で見たいＡＶコンテンツを選局して映像を受信するとともに、そのＡＶコンテンツの音声をコントローラ５ｍを使って同様に選局して伝送路２から受信する。このために、放送される映像には上記チャンネルを識別する情報が重畳されており、乗客はこのチャンネルの識別情報を使って音声の選局をする。
【００３５】
また、音声サービス用サーバ２７には音楽番組やラジオ番組等の音声のみのコンテンツが収納されており、乗客はコントローラ５ｍを使って聴取したい音声のみのコンテンツも選択することができる。
【００３６】
なお、上記説明では映像サービス用サーバ２１には複数の異なるＡＶコンテンツが蓄積されているとしたが、ＡＶコンテンツが１つのみ蓄積されていてもよい。この場合は映像および音声の選局が不要となる。
【００３７】
次に、図２を用いて座席端末４ｍの構成および動作について説明する。
【００３８】
図２は、本実施の形態におけるＡＶコンテンツ提供システム１００の座席端末４ｍとその周辺の主要な構成を示す図である。座席端末４ｍを図面の点線枠で示している。
【００３９】
ＣＰＵ４１は、座席端末全体を制御する中央処理装置である。このＣＰＵ４１を含み、以下に説明する構成要素は、図面に示すようにバス４０に接続され、相互に情報を交換する。ＲＯＭ４２にはＣＰＵ４１のプログラムが収納されている。
【００４０】
音声バッファ４３は、伝送路２から取り込んだ音声データを一時的に蓄積して、送信器２４から携帯端末２５に向けて放送される映像との同期合わせの最終調整用に使用される。
【００４１】
音声デコーダ４４は、音声バッファ４３に蓄積された圧縮音声データを復号して音声信号として再生するための復号器である。この音声デコーダ４４には前述のヘッドホン７ｍが接続される。コントローラインタフェース４５は、この部に接続されるコントローラ５ｍの操作に基づく指令をバス４０に送出する。ネットワークインタフェース４６は、伝送路２とのインタフェースであり、座席端末４ｍを識別するための固有のアドレス（ＭＡＣアドレス等）を有している。
【００４２】
次に、本実施の形態のＡＶコンテンツ提供システム１００のサービス動作を説明する。
【００４３】
乗客は、まず、携帯端末２５の電源をオンにし、携帯端末２５のメニューからテレビ視聴を選択する。次に、図３に示すように、画面２５ａを見ながらチャンネル選択ボタン２５ｂを操作し、ＡＶコンテンツのタイトル２５ｃを見ながら見たいコンテンツを選択（選局）する。このとき画面２５ａには、コンテンツのチャンネル番号２５ｄ（例えば、８ＣＨ）が表示される。
【００４４】
次に、コントローラ５ｍで、選択したチャンネル番号（８ＣＨ）を入力する。その結果、チャンネル番号（８ＣＨ）に相当する音声データが伝送路２から受信される。受信された音声データは座席端末４ｍの音声バッファ４３に取り込まれ、音声デコーダ４４で復号化され、ヘッドホン７ｍで音声として聴取される。
【００４５】
次に、機内アナウンスの伝達について説明する。機内アナウンスは、乗務員端末８ａを送話モードにすると、伝送路２上に、アナウンスのコマンドが送出される。これを受けて、通信管理部２２は、映像サービス用サーバ２１や音声サービス用サーバ２７からの音声データの送出を中断する。次にアナウンスの音声データが伝送路２に送出される。座席端末４ｍでは、先のアナウンスのコマンドを受けているので、アナウンスの音声データは無条件に取り込まれ、音声デコーダ４４で復号化されヘッドホン７ｍに伝達される。乗務員端末８ａが送話終了モードになると、アナウンス終了のコマンドにより、通信管理部２２は、映像サービス用サーバ２１や音声サービス用サーバ２７からの音声データの送出を再開し、コンテンツ提供サービスが継続される。
【００４６】
以上のように、本実施の形態のＡＶコンテンツ提供システム１００によれば、映像サービス用サーバ２１に蓄積されたＡＶコンテンツの映像データは、地上波デジタルテレビジョン放送方式の放送波として送出され、乗客の持ち込んだ地上波デジタルテレビジョン放送受信機能付きの携帯端末２５で受信されてその映像表示部に表示される。一方、ＡＶコンテンツの音声データは有線の伝送路２に送出され、伝送路２に接続した座席端末４ｍのヘッドホンで聴取できる。このような構成としたので、乗客は自己の携帯端末２５で映像を、座席のヘッドホン７ｍで音声を視聴して映画などのコンテンツサービスを享受できる。
【００４７】
また、乗客が携帯端末２５とヘッドホン７ｍで放送コンテンツを視聴中に、緊急の機内アナウンスが発生した場合も、ヘッドホン７ｍの出力が自動的に機内アナウンスに切換えられるので乗客は機内アナウンスを聞き逃すことがない。
【００４８】
また、放送される映像にチャンネル情報が表示されるので、乗客はコントローラ５ｍを使って容易に音声の選局ができる。
【００４９】
また、伝送路２にはデータ量の多い映像データが流れないため、伝送路２の帯域が圧迫されず、音声データや機内アナウンスの音声を安定に伝送することが可能となる。
【００５０】
また、従来のように各座席にディスプレイを配設する必要がないので、航空会社は低コストのＡＶコンテンツ提供システムを構築できる。
【００５１】
さらには、音声データは従来の座席に接続されるヘッドホン７ｍをそのまま使用でき、携帯端末２５とヘッドホンを音声コードで接続する必要がないので、乗客の移動を妨げる心配がない。
【００５２】
なお、上記実施の形態では、ＡＶコンテンツの音声の選局は、映像に付加して表示されるチャンネル情報により乗客がコントローラ５ｍにより選局すると説明したが、ＡＶコンテンツのプログラム（番組表）が予め乗客に配布されており、このプログラムを見て選局するようにしてもよい。
【００５３】
また、上記実施の形態では、コントローラ５ｍは座席にコードで接続されている形態で説明したが、ゲームなどに使用しない場合は、座席の肘掛部等に収納できる形態にしてもよい。また、コントローラを座席の肘掛部に内蔵して操作ボタンだけを備えてもよい。
【００５４】
また、上記実施の形態では、携帯端末２５は乗客が自分の所有するものを持ち込むとして説明したが、航空機会社が携帯端末２５を乗客に貸し出すようにしてもよい。
【００５５】
また、携帯端末２５およびコントローラ５ｍに赤外線等の無線インタフェースを備え、携帯端末２５の選択チャンネルをコントローラ５ｍ側に通知し、受信音声チャンネルを自動的に設定したり、逆にコントローラ５ｍ側の選択チャンネルを携帯端末２５側に通知し、受信映像チャンネルを自動的に設定するようにしてもよい。
【００５６】
さらに、上記実施の形態では、携帯端末２５にＡＶコンテンツを提供する放送方式は地上波デジタルテレビジョン放送であるとして説明したが、衛星デジタルテレビジョン放送であってもよい。その場合には、図１における変調器２６および送信器２４は衛星デジタルテレビジョン放送に対応したものとなる。
【産業上の利用可能性】
【００５７】
本発明のＡＶコンテンツ提供システムは、航空機以外でもバス、鉄道などの車両やフェリー、客船などの船舶、などの公共交通機関に利用することができる。
【図面の簡単な説明】
【００５８】
【図１】本発明の実施の形態におけるＡＶコンテンツ提供システムの全体構成を示す図
【図２】同ＡＶコンテンツ提供システムの座席端末とその周辺の主要な構成を示す図
【図３】同ＡＶコンテンツ提供システムの携帯端末のディスプレイ部とその周辺を示す図
【図４】従来のＡＶコンテンツ提供システムの全体構成を示す図
【図５】従来のＡＶコンテンツ提供システムの全体構成を示す図
【符号の説明】
【００５９】
１ｍ，１ｎ    座席
２，１３，２３    伝送路
３    ＶＯＤサーバ
４ｍ，４ｎ    座席端末
５ｍ，５ｎ    コントローラ
６ｍ，６ｎ    ディスプレイ
７ｍ，７ｎ    ヘッドホン
８ａ    乗務員端末
８ｂ    ＩＰアダプタ
１１    コンテンツサーバ
１２，２２    通信管理部
１４    中継器
１５    乗客用データ送受信機
１６    乗客用音声データ送受信機
１７    乗務員用音声データ送受信機
２１    映像サービス用サーバ
２４    送信器
２５    携帯端末
２６    変調器
２７    音声サービス用サーバ
２８    映像音声分離器
４１    ＣＰＵ（中央処理装置）
４３    音声バッファ
４４    音声デコーダ
４５    コントローラインタフェース
４６    ネットワークインタフェース
１００，２００，３００    ＡＶコンテンツ提供システム
【図１】
2009260859.tif 000003
【図２】
2009260859.tif 000004
【図３】
2009260859.tif 000005
【図４】
2009260859.tif 000006
【図５】
2009260859.tif 000007